(57)【要約】【課題】装置本体に対して交換可能に装着されるアクセサリと装置本体の外装面間に隙間や段差が発生するのを抑制して、隙間によるシール性の低下や外装面の段差による外観性の低下を防止する撮像装置を提供する。【解決手段】撮像装置は、装置本体１と、ファインダ光学系３及びファインダ光学系３の外装を形成する外装部材１４を有し、装置本体１に対して交換可能に装着されるファインダ２と、ファインダ光学系３と外装部材１４との間に設けられ、ファインダ光学系３と外装部材１４とを相対的に移動可能に付勢する付勢部材２３と、ファインダ光学系３と装置本体１の間に設けられ、装置本体１に対するファインダ光学系３の固定位置を調整する調整部材２８と、を備える。ファインダ光学系３は、調整部材２８に対して位置決め固定され、外装部材１４は、装置本体１の外装２４に対して位置決め固定されている。【選択図】図３
2018077429.tif 000002
【特許請求の範囲】
【請求項１】
装置本体と、前記装置本体に対して交換可能に装着されるアクセサリとを備え、前記アクセサリは、アクセサリ本体と、前記アクセサリ本体の外装を形成する外装部材とを有する撮像装置であって、
前記アクセサリ本体と前記外装部材との間に設けられ、前記アクセサリ本体と前記外装部材とを相対的に移動可能に付勢する付勢部材と、
前記アクセサリ本体と前記装置本体の間に設けられ、前記装置本体に対する前記アクセサリ本体の固定位置を調整する調整部材と、を備え、
前記アクセサリ本体は、前記調整部材に対して位置決め固定され、前記外装部材は、前記装置本体の外装に対して位置決め固定されていることを特徴とする撮像装置。
【請求項２】
前記調整部材は、前記装置本体および前記アクセサリのいずれか一方又は両方に設けられていることを特徴とする請求項１に記載の撮像装置。
【請求項３】
前記付勢部材は、前記外装部材と前記アクセサリ本体を少なくとも前記装置本体の垂直方向に付勢することを特徴とする請求項１又は２に記載の撮像装置。
【請求項４】
前記アクセサリの前記外装部材と前記装置本体の外装との間には、前記アクセサリと前記装置本体との間をシールする弾性部材が設けられていることを特徴とする請求項１乃至３のいずれか一項に記載の撮像装置。
【請求項５】
前記アクセサリは、ファインダであり、前記アクセサリ本体は、ファインダ光学系であることを特徴とする請求項１乃至４のいずれか一項に記載の撮像装置。
【請求項６】
前記アクセサリは、冷却装置であり、前記アクセサリ本体は、ファンユニットであることを特徴とする請求項１乃至４のいずれか一項に記載の撮像装置。
【請求項７】
前記アクセサリは、電子ビューファインダであり、前記アクセサリ本体は、表示ユニットであることを特徴とする請求項１乃至４のいずれか一項に記載の撮像装置。
【発明の詳細な説明】
【技術分野】
【０００１】
本発明は、例えばデジタルカメラ等の撮像装置に関し、特に装置本体に対してファインダ等のアクセサリが交換可能に装着される撮像装置に関する。
【背景技術】
【０００２】
デジタル一眼レフカメラ等の撮像装置では、装置本体に対して着脱可能に装着されるファインダをアイレベルファインダやウェストレベルファインダなどのファインダアクセサリに交換可能なものがある。ファインダは、ピント板やペンタダハプリズムなどを含む光学ファインダユニットで構成され、ピント板は、ファインダ側に固定されている。このような撮像装置では、動画撮影時に、ファインダを動画撮影時の発熱対策のための冷却用ファンや電子ビューファインダ（ＥＶＦ）などのアクセサリに交換可能なものもある。
【０００３】
従来、ファインダの着脱ごとに生じるファインダとカメラ本体との間の相対的な位置ズレに起因するファインダピントや視野率の変化を回避してファインダ像と撮影画像とのピント位置や画角の差を低減する位置決め機構を備える撮像装置が開示されている。
【０００４】
例えば、ファインダ光学系と着脱機構との間に弾性部材を設けることで、ファインダ装着時にファインダ光学系に固定されたピント板がカメラ本体側に付勢されて、ファインダピントを安定化させる技術が提案されている（特許文献１）。
【０００５】
また、ファインダユニット及びカメラ本体の一方の取り付け部に位置決めピンを突設し、ファインダとカメラ本体が位置決めピンを介して嵌合することによって、ピント板の平面方向の位置決めを行う技術が提案されている（特許文献２）。この提案では、ファインダ装着時には、ファインダ又はカメラ本体に設けられた複数のゴム製突起が圧縮され、ピント板の高さ方向の位置決めが行われる。
【先行技術文献】
【特許文献】
【０００６】
【特許文献１】特開昭５７−４９９３５号公報
【特許文献２】特開平１１−１７４５２８号公報
【発明の概要】
【発明が解決しようとする課題】
【０００７】
しかし、上記特許文献１では、ファインダピントの安定化は可能だが、ファインダ光学系を構成するピント板の平面方向の位置決めは行われないため、カメラ本体にファインダを着脱するごとにピント板の位置ズレが発生して視野率が変化する可能性がある。
【０００８】
一方、上記特許文献２では、ファインダピントに加えて視野率の安定化が可能だが、ファインダピントと視野率を調整することはできない。例えば、ファインダピントを高精度に調整することや視野率を１００％に近づけるためには、ファインダとカメラ本体の部品公差や組立誤差、組立ばらつきなどを考慮して、ファインダの装着位置を調整することが考えられる。
【０００９】
しかし、この場合、調整したファインダの装着位置によっては、ファインダの外装部材とガメラ本体の外装部材との間に位置ズレによる隙間や段差が生じる可能性があり、隙間によるシール性の低下や外装面の段差によるカメラの外観性の低下が問題となる。
【００１０】
そこで、本発明は、装置本体に対して交換可能に装着されるアクセサリと装置本体の外装面間に隙間や段差が発生するのを抑制して、隙間によるシール性の低下や外装面の段差による外観性の低下を防止する撮像装置を提供することを目的とする。
【課題を解決するための手段】
【００１１】
上記目的を達成するために、本発明は、装置本体と、前記装置本体に対して交換可能に装着されるアクセサリとを備え、前記アクセサリは、アクセサリ本体と、前記アクセサリ本体の外装を形成する外装部材とを有する撮像装置であって、前記アクセサリ本体と前記外装部材との間に設けられ、前記アクセサリ本体と前記外装部材とを相対的に移動可能に付勢する付勢部材と、前記アクセサリ本体と前記装置本体の間に設けられ、前記装置本体に対する前記アクセサリ本体の固定位置を調整する調整部材と、を備え、前記アクセサリ本体は、前記調整部材に対して位置決め固定され、前記外装部材は、前記装置本体の外装に対して位置決め固定されていることを特徴とする。
【発明の効果】
【００１２】
本発明によれば、装置本体に対して交換可能に装着されるアクセサリと装置本体の外装面間に隙間や段差が発生するのを抑制して、隙間によるシール性の低下や外装面の段差による外観性の低下を防止することができる。
【図面の簡単な説明】
【００１３】
【図１】（ａ）は本発明の撮像装置の実施形態の一例であるデジタル一眼レフカメラを正面側から見た図、（ｂ）は（ａ）に示すデジタル一眼レフカメラからファインダを取り外した状態を示す図である。
【図２】カメラ本体側のファインダの着脱部を示す斜視図である。
【図３】ファインダの装着時におけるカメラ本体側のファインダの着脱部を説明する図である。
【図４】ファインダの分解斜視図である。
【図５】ファインダの外装部材とロック機構を説明する分解斜視図である。
【図６】ペンタホルダの吊り下げ部を説明する図である。
【図７】カメラ本体の着脱部にファインダを装着する方法を説明する断面図である。
【図８】カメラ本体の着脱部にファインダを装着した状態を示す断面図である。
【図９】ファインダの装着時におけるファインダの外装部材とカメラ本体の外装部材の位置決め機構を説明する図である。
【図１０】カメラ本体の着脱部に対して交換可能に装着されるファンアクセサリの分解斜視図である。
【図１１】カメラ本体の着脱部にファインダに代えてファンアクセサリを装着した状態を示す概略断面図である。
【発明を実施するための形態】
【００１４】
以下、図面を参照して、本発明の実施形態の一例を説明する。
【００１５】
図１（ａ）は本発明の撮像装置の実施形態の一例であるデジタル一眼レフカメラを正面側（被写体側）から見た図、図１（ｂ）は図１（ａ）に示すデジタル一眼レフカメラからファインダを取り外した状態を示す図である。
【００１６】
本実施形態のデジタル一眼レフカメラ（以下、カメラという）は、図１に示すように、カメラ本体１の正面側に不図示のレンズユニットが着脱可能に装着されるレンズマウント１０が設けられている。カメラ本体１の上面の略中央部には、ファインダ２が着脱可能に設けられている。カメラ本体１は、本発明の装置本体の一例に相当し、ファインダ２は、本発明のアクセサリの一例に相当する。
【００１７】
カメラ本体１の正面側から見て左側の側部には、撮影時にユーザが把持するグリップ１１が設けられ、グリップ１１の上部には、レリーズボタン１３が設けられ、カメラ本体１の内部には、ミラーユニット１２が設けられている。また、図１（ａ）において、外装部材１４は、ファインダ２の外装を形成し、外装部材２４は、カメラ本体１の上面部の外装を形成している。
【００１８】
次に、図２及び図３を参照して、カメラ本体１側に設けられるファインダ２の着脱部について説明する。図２（ａ）はカメラ本体１のミラーボックス２７に設けられたファインダ２の着脱部を示す斜視図、図２（ｂ）はカメラ本体１のファインダ２の着脱部にファインダ２を構成するファインダ光学系３を装着した状態を示す斜視図である。図３（ａ）はカメラ本体１のファインダ２の着脱部にファインダ２装着した状態を正面側から見た図、図３（ｂ）は図３（ａ）のＡ−Ａ線断面図である。
【００１９】
図２（ａ）に示すように、ミラーボックス２７の上面部には、背面側が開口する略Ｃ字状に形成された調整部材２８がねじ２９によって固定されている。調整部材２８には、図３（ｂ）に示すように、ねじ２９を通すための調整孔２８０２が形成され、調整部材２８の上面部には、２本の位置決めピン２８０１が上方に突設されている。ファインダ２の装着時には、位置決めピン２８０１にファインダ光学系３を構成するペンタホルダ１７の嵌合孔１７０２が嵌合され、これにより、ペンタホルダ１７が調整部材２８に固定される。ペンタホルダ１７には、ピント板１５が一体に組み込まれている。ファインダ光学系３は、本発明のアクセサリ本体の一例に相当する。
【００２０】
ミラーボックス２７に対する調整部材２８の固定位置を調整することによって、ファインダ２の装着時におけるペンタホルダ１７の位置調整が可能となる。また、ペンタホルダ１７が調整部材２８を介してカメラ本体１に位置決めされることで、ファインダピント及び視野率を決めることが可能となる。
【００２１】
なお、本実施形態では、調整部材２８をミラーボックス２７の上面部に固定した場合を例示したが、調整部材２８をペンタホルダ１７の底面部に固定して、調整部材２８とミラーボックス２７とを嵌合させる構成であっても、同様の効果が期待できる。
【００２２】
また、調整部材２８をペンタホルダ１７の底面部及びミラーボックス２７の上面部の両方にそれぞれ設けて、二つの調整部材２８同士を嵌合させる構成でもよい。この場合、ファインダ２の装着動作に伴って生じるペンタホルダ１７やミラーボックス２７などのカメラの内部部品の形状変化を防ぐことが可能となる。
【００２３】
また、調整部材２８が変形してファインダピントと視野率が変化した場合には、変形した調整部材２８のみを取り替え、ミラーボックス２７に対する調整部材２８の固定位置を再調整することで、再度ファインダピントと視野率を決めることができる。
【００２４】
次に、ミラーボックス２７に対して調整部材２８を固定する際の固定位置の調整方法を説明する。調整部材２８の固定位置を調整する方向は、カメラの垂直方向（高さ方向）とピント板１５の平面方向となる。カメラの垂直方向の調整は、図２（ａ）に示すように、調整部材２８とミラーボックス２７の間にスペーサ３０を挟み込むことで可能となる。
【００２５】
次に、ピント板１５の平面方向の調整について説明する。図３（ｂ）に示すように、調整部材２８の調整孔２８０２は、ねじ２９の軸径より大きい小径部２８０３及びねじ２９の頭径より大きい大径部２８０４により構成されている。ねじ２９の軸と小径部２８０３との径方向の寸法差及びねじ２９の頭部と大径部２８０４との径方向の寸法差は、略同一となっている。このため、ミラーボックス２７に締結されるねじ２９の軸位置を中心にして、調整部材２８は、ピント板１５の平面方向に前述して寸法の差分量だけ動くことができる。
【００２６】
これにより、ミラーボックス２７に対して調整部材２８をカメラの垂直方向及びピント板１５の平面方向に位置調整して固定することができ、ファインダ２とカメラ本体１の部品公差や組立誤差などを考慮したファインダピントと視野率の調整が可能となる。
【００２７】
次に、図４及び図５を参照して、ファインダ２について説明する。図４は、ファインダ２の分解斜視図である。図５は、外装部材１４とロック機構４を説明する分解斜視図である。
【００２８】
図４に示すように、ファインダ２は、ファインダ光学系３、ロック機構４、アイピースユニット５、及び外装部材１４を有する。ファインダ光学系３は、ピント板１５、ペンタダハプリズム１６などの光学部品がペンタホルダ１７に一体に組み込まれて構成されている。
【００２９】
ロック機構４は、ファインダ２をカメラ本体１に対してロックする機構であり、スライド板１８、段ビス１９、スライドボタン２０、引張コイルばね２１、及び連結部材３３を有する。
【００３０】
図５に示すように、スライド板１８は、段ビス１９によって外装部材１４の台座１４０１に取り付けられて、カメラの前後方向（光軸方向）にスライド移動する。スライド板１８の凸部１８０１は、外装部材１４に形成された長穴状の貫通部１４０２に挿入されて、外装部材１４の外側からスライドボタン２０に固定される。スライドボタン２０をカメラ前後方向にスライド操作することで、スライド板１８がカメラの前後方向に移動する。
【００３１】
また、スライド板１８のばね掛け部１８０２には、引張コイルばね２１の一端が掛止され、引張コイルばね２１の他端は、外装部材１４の掛止部１４０３に掛止される。引張コイルばね２１によって、スライド板１８がカメラの背面方向に付勢されて、ファインダ２の装着時にスライド板１８のロック爪１８０３と外装部材２４に固定されたロック板２６（図７（ａ）参照）がロックされる。
【００３２】
このロック機構によって、ファインダ２がカメラ本体１から不用意に取り外されることを防ぐ。また、左右のスライド板１８は、連結部材３３によって連結固定されており、同時に動く構成になっている。これにより、左右のスライド板１８のうち一方のみのロックが外れることを防ぐ。
【００３３】
図６は、ペンタホルダ１７の吊り下げ部について説明する図である。図６（ａ）はアイピースユニット５を除くファインダ２の下面図、図６（ｂ）はファインダ２を取り外した状態での図６（ａ）のＢ−Ｂ線断面図、図６（ｃ）はファインダ２を装着した状態での図６（ａ）のＢ−Ｂ線断面図である。
【００３４】
図６（ｂ）に示すように、ファインダ２を取り外した状態では、ペンタホルダ１７は、貫通孔１７０１に挿入されたねじ２２の頭部によって外装部材１４側に保持される。このペンタホルダ１７と外装部材１４の間に垂直方向の隙間３１を設けることで、図６（ｃ）に示すように、外装部材１４に対してペンタホルダ１７がカメラの上方向に移動可能となる。
【００３５】
また、ペンタホルダ１７の貫通孔１７０１の孔径をねじ２２の軸径よりも大きくして、両部材の間に水平方向の隙間３２を設けることで、ペンタホルダ１７が外装部材１４に対して平面方向に移動可能となる。これにより、ペンタホルダ１７と外装部材１４は、相対的に移動が可能となり、それぞれ独立してカメラ本体１のミラーボックス２７及び外装部材２４に対して位置決め可能となる。
【００３６】
次に、外装部材１４とペンタホルダ１７の間に設けられる付勢部材２３について説明する。本実施形態では、付勢部材２３は、圧縮ばねとして説明する。付勢部材２３は、図６（ｂ）に示すように、ファインダ２の取り外した状態では、外装部材１４とペンタホルダ１７をカメラの垂直方向に離そうとする付勢力を働かせる。これにより、ファインダ２を取り外した状態では、外装部材１４に対するペンタホルダ１７のがたつきが低減される。
【００３７】
一方、図６（ｃ）に示すように、ファインダ２の装着時においては、ペンタホルダ１７は、調整部材２８に取り付けられた状態で付勢部材２３によってカメラの垂直方向の下方向へ付勢されて、ファインダピントが安定する。なお、本実施形態では、付勢部材２３を圧縮ばねとし、カメラの垂直方向に伸縮するように設けたが、これに限定されない。例えば、付勢部材２３を引張ばねにした場合やばねの伸縮方向を変えた場合においても、少なくともファインダピントが変化する方向に付勢力が働くように付勢部材２３を設けることで、同様の効果が期待できる。
【００３８】
次に、図７を参照して、カメラ本体１の着脱部にファインダ２を装着する方法について説明する。図７（ａ）はスライド板１８とロック板２６とのロック動作前の図３（ａ）のＡ−Ａ線断面図、図７（ｂ）はスライド板１８とロック板２６とのロック動作途中の図３（ａ）のＡ−Ａ線断面図である。図８は、スライド板１８とロック板２６とのロック完了時の図３（ａ）のＡ−Ａ線断面図である。
【００３９】
まず、調整部材２８の位置決めピン２８０１にペンタホルダ１７の嵌合孔１７０２を挿入することで、ファインダ２が調整部材２８にガイドされて、図７（ａ）に示す状態となる。このとき、スライド板１８のロック爪１８０３は、外装部材２４に固定されたロック板２６に接触している。
【００４０】
次に、図７（ａ）の状態からファインダ２の外装部材１４をカメラ本体１側へ押込むと、スライド板１８のロック爪１８０３がロック板２６に接触しながらカメラの正面側（図の左側）へスライド移動して、図７（ｂ）に示す状態となる。また、図７（ａ）から図７（ｂ）に至るまでの間に、ペンタホルダ１７の嵌合孔１７０２と調整部材２８の位置決めピン２８０１との嵌合が完了して、ペンタホルダ１７が調整部材２８に位置決めされる。
【００４１】
次に、図７（ｂ）の状態から外装部材１４をカメラ本体１側へ更に押込むと、スライド板１８のロック爪１８０３が外装部材２４に固定されたロック板２６を乗り越えると共に、引張コイルばね２１によってカメラの背面側へスライド移動する。これにより、スライド板１８のロック爪１８０３が外装部材２４側のロック板２６に掛止されてロックが完了し、図８に示す状態となる。
【００４２】
次に、図９を参照して、ファインダ２の装着時におけるファインダ２の外装部材１４とカメラ本体１の外装部材２４の位置決め機構を説明する。図９（ａ）はファインダ２の装着時のカメラの正面側から見て左側の側面図、図９（ｂ）は図９（ａ）のＣ−Ｃ線断面図、図９（ｃ）は図９（ｂ）のＤ部拡大図である。
【００４３】
図９に示すように、ファインダ２の外装部材１４の外面には、外側に突出するフランジ１４０４が設けられ、フランジ１４０４の下側には、下方に向けてカメラ本体１の外装部材２４から離れるように傾斜する複数の斜面部１４０５が設けられている。ファインダ２の装着時は、外装部材１４が斜面部１４０５に沿ってカメラ本体１の外装部材２４に嵌合され、これにより、外装部材１４が外装部材２４に対して位置が決められる。
【００４４】
この状態では、スライド板１８が引張コイルばね２１（図４参照）によってカメラの背面側へ付勢されるため、この付勢力の反力を受けて、外装部材１４はカメラの正面側へと付勢される。これにより、ファインダ２の外装部材１４がカメラ本体１の外装部材２４に対して位置が決めされて、カメラの外観性が損なわれることを防ぐ。
【００４５】
また、外装部材１４のフランジ１４０４とカメラ本体１の外装部材２４との間には、全周にわたって弾性部材２５が設けられている。このため、ファインダ２の装着時に、ファインダ２の外装部材１４とカメラ本体１の外装部材２４との間のシール性能（防塵防滴機能）が確保される。
【００４６】
なお、図示は省略するが、ファインダ２とカメラ本体１との間にそれぞれコネクタを配置することで、ファインダ２とカメラ本体１間の電気接続が可能となる。例えば、ペンタホルダ１７と調整部材２８の双方に不図示のコネクタを一対に配置する。そして、ペンタホルダ１７の嵌合孔１７０２を調整部材２８の位置決めピン２８０１に嵌合する動作に伴って、双方のコネクタが接続されて、ファインダ２とカメラ本体１との電気接続が可能となる。
【００４７】
ところで、カメラ本体１の着脱部には、ファインダ２以外に冷却装置としてのファンアクセサリや電子ビューファインダ等も交換可能に装着される。図１０は、カメラ本体１の着脱部に対して交換可能に装着されるファンアクセサリ６の分解斜視図である。図１０に示すように、ファンアクセサリ６は、外装部材１４、ロック機構４、アイピースカバー３６、及びファンユニット７を有し、ファンユニット７は、ファンホルダ３４とファン３５で構成される。
【００４８】
ファンホルダ３４は、図６で説明したペンタホルダ１７と同様の方法で、外装部材１４に吊り下げられる。ファンホルダ３４は、図２及び図３で説明したペンタホルダ１７と同様の方法で、調整部材２８に位置決めされる。この構成によって、ファンユニット７は調整部材２８に位置決めされて、ファンユニット７の外装を形成する外装部材１４は、カメラ本体１の外装部材２４に対して隙間や段差なく位置決めが可能となる。
【００４９】
図１１は、カメラ本体１の着脱部にファインダ２に代えてファンアクセサリ６を装着した状態を示す概略断面図である。図１１に示すように、レンズ３７に入射した光の光軸上に撮像素子３８が配置され、撮像素子３８の背面にセンサ基板３９が設けられている。ファン３５が駆動されることで、図の矢印方向にカメラ本体１内部に空気が吸気され、撮像素子３８やセンサ基板３９等が冷却される。なお、アクセサリが電子ビューファインダの場合には、表示ユニットが本発明のアクセサリ本体の一例に相当することとなる。
【００５０】
以上説明したように、本実施形態では、ミラーボックス２７の上面部に固定した調整部材２８の固定位置を調整することによって、ファインダ２の装着時におけるペンタホルダ１７の位置調整が可能となる。これにより、ファインダ２やカメラ本体１の部品公差や組立誤差などを考慮したファインダピント及び視野率の調整が可能となる。
【００５１】
また、本実施形態では、ペンタホルダ１７が外装部材１４に対してカメラの上方および平面方向に動くため、ペンタホルダ１７と外装部材１４がそれぞれ独立してミラーボックス２７および外装部材２４に位置決め可能となる。
【００５２】
また、本実施形態では、外装部材１４とペンタホルダ１７の間に設けた付勢部材２３により、ファインダ２の非装着時は外装部材１４に対するペンタホルダ１７のがたつきを低減できる。ファインダ２の装着時は、付勢部材２３により、ペンタホルダ１７が調整部材２８にカメラの垂直下方向に付勢されることでファインダピントが安定する。
【００５３】
また、本実施形態では、外装部材１４と外装部材２４のロック機構および位置決め機構を設けることで、ファインダ２の装着時に、外装部材１４と外装部材２４との間の隙間や段差の発生を防ぎ、カメラのシール性や外観性が損なわれるのを防ぐことが可能となる。
【００５４】
これにより、カメラ本体１に対して交換可能に装着されるファインダ２のファインダピントと視野率を安定化させつつ調整可能にすると共に、ファインダ２とカメラ本体１の外装面間に隙間や段差が発生するのを抑制するカメラを提供することができる。
【００５５】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５６】
１  カメラ本体
２  ファインダ
３  ファインダ光学系
１４，２４  外装部材
２３  付勢部材
２８  調整部材
【図１】
2018077429.tif 000003
【図２】
2018077429.tif 000004
【図３】
2018077429.tif 000005
【図４】
2018077429.tif 000006
【図５】
2018077429.tif 000007
【図６】
2018077429.tif 000008
【図７】
2018077429.tif 000009
【図８】
2018077429.tif 000010
【図９】
2018077429.tif 000011
【図１０】
2018077429.tif 000012
【図１１】
2018077429.tif 000013